(57)【特許請求の範囲】
【請求項１】
ユーザによって操作される入力装置と、画像情報を表示する表示装置と、表計算ソフトウェアで作成されたデータシートを読み取る読取装置と接続され、前記データシートの複数のフォーマットに対応してデータベース用データを生成するデータベース生成装置で用いられるデータベース生成方法あって、
前記データベース生成装置は、
前記読取装置を介して読み取られた前記データシートのフォーマットの画像データを取得し、その画像データを前記表示装置に表示するとともに、その画像データにフォーマットＩＤを関連付けて記憶部に記憶する画像取得ステップと、
前記表示装置に表示した前記データシートのフォーマットの罫線で囲まれたセルを前記入力装置によって指定され、その指定されたセルの属性情報を前記入力装置から受け付けて、入力属性情報として作成し、前記入力属性情報と前記フォーマットＩＤとを関連付けて前記記憶部に記憶する入力属性ファイル作成ステップと、
前記データシートのセルと前記データベース用データの並びとの対応関係を前記入力装置から受け付け、さらに前記データシートのセルに前記入力属性情報に格納されているセルに関する属性情報を関連付けて、入出力変換情報として作成し、前記入出力変換情報と前記フォーマットＩＤとを関連付けて前記記憶部に記憶する入出力交換ファイル作成ステップと、
前記データベース用データ個々の属性情報を前記入力装置から受け付けて、出力属性情報として作成し、前記出力属性情報と前記フォーマットＩＤとを関連付けて前記記憶部に記憶する出力属性ファイル作成ステップと、
前記入力装置から前記フォーマットＩＤを受け付けて、そのフォーマットＩＤに関連付けられた前記入出力変換情報と前記出力属性情報とを前記記憶部から読み出して、前記対応関係に基づいて前記読取装置から読み取った前記データシートのデータを所定の並びを有する前記データベース用データに変換するデータベース用データ作成ステップ
を実行することを特徴とするデータベース生成方法。
【請求項２】
ユーザによって操作される入力装置と、画像情報を表示する表示装置と、表計算ソフトウェアで作成されたデータシートを読み取る読取装置と接続され、前記データシートの複数のフォーマットに対応してデータベース用データを生成するデータベース生成装置であって、
前記読取装置を介して読み取られた前記データシートのフォーマットの画像データを取得し、その画像データを前記表示装置に表示するとともに、その画像データにフォーマットＩＤを関連付けて記憶部に記憶する画像取得部と、
前記表示装置に表示した前記データシートのフォーマットの罫線で囲まれたセルを前記入力装置によって指定され、その指定されたセルの属性情報を前記入力装置から受け付けて、入力属性情報として作成し、前記入力属性情報と前記フォーマットＩＤとを関連付けて前記記憶部に記憶する入力属性ファイル作成部と、
前記データシートのセルと前記データベース用データの並びとの対応関係を前記入力装置から受け付け、さらに前記データシートのセルに前記入力属性情報に格納されているセルに関する属性情報を関連付けて、入出力変換情報として作成し、前記入出力変換情報と前記フォーマットＩＤとを関連付けて前記記憶部に記憶する入出力交換ファイル作成部と、
前記データベース用データ個々の属性情報を前記入力装置から受け付けて、出力属性情報として作成し、前記出力属性情報と前記フォーマットＩＤとを関連付けて前記記憶部に記憶する出力属性ファイル作成部と、
前記入力装置から前記フォーマットＩＤを受け付けて、そのフォーマットＩＤに関連付けられた前記入出力変換情報と前記出力属性情報とを前記記憶部から読み出して、前記対応関係に基づいて前記読取装置から読み取った前記データシートのデータを所定の並びを有する前記データベース用データに変換するデータベース用データ作成部と、
を備えることを特徴とするデータベース生成装置。
【発明の詳細な説明】
【技術分野】
【０００１】
本発明は、表計算ソフトウェア等で作成されたデータをデータベース化する技術に関する。
【背景技術】
【０００２】
生産設備（発電設備、水処理設備等を含む）を適切に保守するために、その生産設備の稼動状況を把握する試験が実施される。実施される試験は、例えば、その設備を製造した工場における出荷前の場内試験、納品後の現地試験、および保守のための定期試験等である。
一般的に、前記した試験で得られた試験結果は、表計算ソフトウェアを使って記録され、最終的には、電子データや紙で保管されている。しかし、生産設備は多数の構成要素（計装機器、制御盤、系統等）によって構成されており、また、構成要素ごとに種々の試験項目が実施されるため、生産設備において実施される試験の数は膨大となる。
【０００３】
そして、生産設備の稼働率を向上させるために、データマイニング技術を用いた傾向管理手法を用いることが考えられている。その際、フォーマットの多様化とデータの分散化が問題となる。すなわち、フォーマットの多様化とは、試験対象の生産設備を構成する構成要素ごとに、試験記録に用いた表計算ソフトウェアのデータシートのフォーマットが様々になっていることである。また、データの分散化とは、傾向管理を行う際に、試験の種類が様々であるために、試験の種類によって異なるデータシートの試験記録データ同士が相互に調べられない状態となって、放置されてしまうことである。
【０００４】
さらに、同じ試験記録データであっても、その記録形式（属性）が異なる場合が多い。例えば、（１）データの数値だけでなく、単位も付けている場合、（２）年月日を、2010年6月8日、2010.6.8、または2010/06/08のように記載している場合、（３）測定値を０．０１、１０−２、または10＾-2のように記載している場合、（４）全角と半角が区別されていない場合、等がある。そして、数字と時間（日付）という情報を正しく取り込めない場合には、そのデータを傾向管理に用いることができなくなるため、データの活用が制限されてしまう状態となる。
【０００５】
例えば、試験記録データの属性を変換処理する技術として、特許文献１には、入力ファイル内のデータを出力先のデータ形式に変換する処理が開示されている。具体的には、項目名とデータ値とを所定の規則で並べたレコードが連続する連続レコードを用意し、出力先のデータ型が数値型の場合は、文字列の数字を数値型に変換し、出力先のデータ型が固定長の文字列型の場合は、項目名の後ろにパティング文字を追加する。
また、特許文献２には、通信回線を経由し伝票や帳票の情報を電子的に交換するようにした電子データ交換に用いるＥＤＩ（Electronic Data Interchange）標準フォーマットと、内部的に処理する際の業務用フォーマットとの間のフォーマット変換処理が開示されている。
【先行技術文献】
【特許文献】
【０００６】
【特許文献１】特開２００９−１１６３９５号公報
【特許文献２】特開２００２−２２２３８２号公報
【発明の概要】
【発明が解決しようとする課題】
【０００７】
しかし、特許文献１に記載の変換処理では、変換対象となるデータの並びや属性が予め決められている。また、特許文献２に記載のフォーマット変換処理では、予め、変換対象となる業務用フォーマットが１種類に決められている。したがって、背景技術に記載したような、データの属性の異なるデータシートのデータを変換対象とする場合には、特許文献１，２に記載の変換処理では、その変換対象の相違に対処することができず、一つのデータベースにまとめることはできない（データベース化できない）という問題がある。
【０００８】
そこで、本発明では、データの並びや属性の異なるデータシートのデータを簡易にデータベース化するデータベース生成方法およびデータベース生成装置を提供することを課題とする。
【課題を解決するための手段】
【０００９】
前記課題を解決するために、本発明に係るデータベース生成装置は、試験記録データシートのフォーマットを画像データとして取得し、その画像データにフォーマットＩＤを関連付けて記憶する。そして、データベース生成装置は、取得した試験記録データシートのフォーマットのセル（罫線で囲まれた欄）の属性情報を入力属性情報として作成する。また、データベース生成装置は、試験記録データシートのセルとデータベース用のデータの並びとを関連付けるとともに、入力属性情報に格納されている属性情報を関連付けて、入出力変換情報を作成する。次に、データベース生成装置は、データベース用のデータ個々の属性情報を出力属性情報として作成する。そして、データベース生成装置は、指定されたフォーマットＩＤに対して、そのフォーマットＩＤに関連付けられた入出力変換情報、出力属性情報を読み出して、試験記録データシートのデータをデータベース用のデータに変換することを特徴とする。
【発明の効果】
【００１０】
本発明によれば、データの並びや属性の異なるデータシートのデータを簡易にデータベース化するデータベース生成方法およびデータベース生成装置を提供することができる。
【図面の簡単な説明】
【００１１】
【図１】データベースを生成する処理フロー例を示す図である。
【図２】データベース生成装置の構成を示す図である。
【図３】試験記録データシートのフォーマットの一例を示す図である。
【図４】入力属性情報を作成するための処理画面の一例を示す図である。
【図５】入出力変換情報を作成するための処理画面の一例を示す図である。
【図６】出力属性情報を作成するための処理画面の一例を示す図である。
【図７】データベース用データを作成するための処理画面の一例を示す図である。
【図８】試験記録データシートの一例を示す図である。
【図９】データベース用データ（ＣＳＶ形式）の一例を示す図である。
【発明を実施するための形態】
【００１２】
次に、発明を実施するための形態（以降、「実施形態」と称す。）について、適宜図面を参照しながら詳細に説明する。
【００１３】
はじめに、本実施形態において、データベースを生成する処理フローについて、図１を用いて説明する。その説明に必要な装置類について、予め図２を用いて簡単に説明する。なお、データベース生成装置１０の内部構成については、後記する。
【００１４】
データベースを生成するデータベース生成装置１０は、図２に示すように、読取装置２１、入力装置２２、表示装置２３を周辺装置として接続している。
読取装置２１は、表計算ソフトウェアで作成された試験記録データシート３０１を読み取る機能を備える。なお、試験記録データシート３０１は、図８に示すように、罫線で表される枠と、試験項目と、試験記録データが記入されるデータ記入欄とで構成されている。以降の説明では、２種類の試験記録データシートが登場するが、データ記入欄が未記入の試験記録データシートをデータ未記入試験記録データシート３０１ａと称し、データ記入欄が記入済みの試験記録データシートを単に試験記録データシート８１０（図８参照）と称する。
【００１５】
読取装置２１は、具体的には、データ未記入試験記録データシート３０１ａが記憶媒体（ＦＤ（Floppy Disc）、ＣＤ−ＲＯＭ（Compact Disc - Read Only Memory）、フラッシュメモリ、ＵＳＢ（Universal Serial Bus）メモリ等）に格納された電子データ（例えば、ＣＳＶ（Comma Separated Values）等）の場合には、読取装置２１は、その記憶媒体から電子データを読み取る装置である。そして、データベース生成装置１０は、読み取った電子データを画像データに変換して、データ未記入試験記録データシート３０１ａのフォーマットを取り込む。画像データは、例えば、ＰＤＦ（Portable Document Format）等である。
【００１６】
入力装置２２は、ユーザによって操作される、マウスやキーボード等である。
表示装置２３は、ディスプレイであり、データベース生成装置１０に取り込まれた画像データを表示したり、ユーザに操作を促す画面を表示したり、ユーザが操作した入力装置２２から取得された情報を表示したり、データベース生成装置１０の処理結果を表示したりする。
【００１７】
図１に戻って、データベース生成装置１０における、データベースを生成する処理フローについて説明する（適宜、図２参照）。なお、各処理過程の詳細については、適宜、図３〜図９を用いて説明する。
【００１８】
ステップＳ１０１では、データベース生成装置１０は、読取装置２１から取得した、表計算ソフトウェアで作成されたデータ未記入試験記録データシート３０１ａのフォーマット（以降、試験記録データシートフォーマット３０２（図３参照）と称す。）の画像データを取得して、その取得した画像データを表示装置２３に表示する。なお、図３に示すように、試験記録データシートフォーマット３０２の罫線（実線）は、一般的に、セルの枠に対して付けられているので、以降の説明では、罫線によって囲まれたエリア（欄）をセルと称す。また、試験記録データシートフォーマット３０２には、試験条件や試験項目名が記載されている。次に、データベース生成装置１０は、取得した画像データに、その試験記録データシートフォーマット３０２を識別するフォーマットＩＤを関連付けて記憶部１２（図２参照）に記憶する。
【００１９】
ステップＳ１０２では、データベース生成装置１０は、表示装置２３に画像表示された試験記録データシートフォーマット３０２（図４では、符号４１０）上で、入力装置２２（例えば、マウス操作）によって範囲指定されたセルの表示エリア（例えば、図４の計器番号を囲む破線のエリア４０２）を取得する。そして、データベース生成装置１０は、その表示エリアのセルの属性情報を入力装置２２から受け付けて、入力属性情報１２２（図２参照）を作成し、フォーマットＩＤと関連付けて記憶部１２に記憶する。
【００２０】
具体的には、図４に示すように、入力装置２２からの入力（例えば、マウス操作）に基づいて、計器番号を含むエリア４０２（セル）を指定して（例えば、マウスで範囲指定したエリアを右クリック操作して）、その表示エリア（セル）のプロパティ４１１を表示させる。プロパティ４１１には、エリア種別（項目エリアおよびデータエリアのいずれか）、エリア名称、セル順序、セル属性、最大文字数等が入力装置２２を介して設定される。
【００２１】
また、セルＮｏ．は、データベース生成装置１０によって、指定された順番に基づいて、自動的に割り当てられる番号である。図４の符号４１０の表において、例えば、左上から右下方向に、符号４０１，４０２，４０３，４０４，４０５の順にセルを指定した場合、セルＮｏ．が１，２，３，４，５と設定される。つまり、図４に示すプロパティ４１１中のセルＮｏ．が「２」となっているのは、「計器番号」のセルが２番目に指定されたためである。また、セル順序は、ユーザによって入力される番号であり、図５の説明時に、その働きを説明する。また、セル属性の「▼」は、プルダウンメニューを示している。
【００２２】
そして、プロパティ４１１への入力を終了する場合、入力装置２２を介してＯＫボタンが押されることによって、設定された情報が記憶され、この操作は終了する。また、入力装置２２を介してＣＡＮＣＥＬが押された場合、既に記憶されている情報を変更せずに終了する。
【００２３】
図１に戻って、ステップＳ１０３では、データベース生成装置１０は、入力装置２２からの入力に基づいて、入出力変換ファイル（入出力変換情報１２３（図５参照））を作成する。具体的には、データベース生成装置１０は、入力装置２２からの入力に基づいて、符号４１０（図４参照）の表上のセル（フォーマットの欄）とデータベース用のデータ（以降、データベース用データとも称す。）の並びとの対応関係を入力装置２２から受け付ける。さらに、データベース生成装置１０は、前記対応関係で表されたセルに対して入力属性情報１２２に格納されているそのセルに関する属性情報を関連付けて、入出力変換情報１２３を作成し、フォーマットＩＤを関連付けて記憶部１２に記憶する。データベース生成装置１０は、記憶部１２に入出力変換情報１２３を記憶する際には、例えばＣＳＶ形式やＸＭＬ（Extensible Markup Language）形式で記憶する。
【００２４】
図５には、入出力変換情報１２３の一例を示している。図５中で、セルＮｏ．、エリア名称、エリア種別、セル順序は、ステップＳ１０２において作成された入力属性情報１２２から読み出された情報である。また、図５中の項目名欄５０１には、データベース用データにおいて用いられる名称が設定される。そして、図５中の属性欄５０２には、項目名欄５０１の属性情報が、凡例に基づいて、入力装置２２を介して設定される。
【００２５】
なお、図５中のセル順序は、例えば、試験年月日の欄で、「５」を３つ使用している。これは、試験年、試験月、試験日を分けて表記されている場合に、データベース用データでは、試験年月日の１つで表記されるようにするためである。つまり、セル順序は、データベース用データにおける並びの順番を表している。
【００２６】
図１に戻って、ステップＳ１０４では、データベース生成装置１０は、入力装置２２からの入力に基づいて、出力属性ファイル（出力属性情報１２４（図６参照））を作成し、フォーマットＩＤと関連付けて記憶部１２に記憶する。具体的には、データベース生成装置１０は、入力装置２２からの入力に基づいて、図６に示すデータベース用データの属性情報６１２を取得するとともに、試験記録データシート８１０（図８参照）から試験記録データを読み出すためのセル位置（変換対象データの格納位置情報６１１（図６参照））を受け付ける。そして、データベース生成装置１０は、変換対象データの格納位置情報６１１およびデータベース用データの属性情報６１２に基づいて、出力属性情報１２４（図６参照）を作成する。なお、データベース生成装置１０は、記憶部１２に出力属性情報１２４を記憶する際には、例えばＣＳＶ形式やＸＭＬ形式で記憶する。
【００２７】
図６には、出力属性情報１２４の一例が示されている。まず、変換対象データの格納位置情報６１１は、試験記録データシート８１０（図８参照）の試験記録データが格納されているパスおよびファイル名と、試験記録データシート８１０中の試験記録データを読み出すためのセル位置を表す、開始行、開始列、出力行数を格納している。なお、変換対象データの格納位置情報６１１は、入力装置２２を介して、取得される。ただし、開始行、開始列、出力行数の代わりに、読み出す行の範囲、列の範囲を用いても構わない。
【００２８】
また、データベース用データの属性情報６１２は、図５に示した入出力変換情報１２３に格納されている属性情報だけでなく、図５に示した入出力変換情報１２３に格納されていない（つまり、試験記録データベース８１０には無いがデータベース用データには存在する）項目名や試験記録データについての属性情報を付加して構成される。
【００２９】
図１に戻って、ステップＳ１０５では、データベース生成装置１０は、入力装置２２からの入力に基づいて、データベース用データを作成する。具体的には、データベース生成装置１０は、変換対象の試験記録データシートフォ−マット３０２に関連付けられたフォーマットＩＤを入力装置２２を介して受け付けて、そのフォーマットＩＤに関連付けられた、入出力変換情報１２３、および出力属性情報１２４を記憶部１２から読み出して、入出力変換情報１２３に格納されている対応関係に基づいて読取装置２１から読み取った試験記録データシート８１０の試験記録データを所定の並びを有するデータベース用データに変換する。なお、試験記録データシート８１０は、図３に示した試験記録データシートフォーマット３０２に試験記録データが記入されたものである。
【００３０】
図７には、ステップＳ１０５の処理を実行する際に、表示装置２３に表示される画面表示例を示している。前記したように、変換対象７１１には、入力装置２２を介してデータ未記入試験記録データシート３０１ａのフォ−マットＩＤが入力される。入力ファイル７１２には、入力されたフォーマットＩＤに関連付けられた、入出力変換情報１２３を格納している入出力変換ファイル名および出力属性情報１２４を格納している出力属性ファイル名が表示される。出力ファイル７１３には、入力装置２２を介して出力ファイル名が入力される。なお、入出力変換ファイル名および出力属性ファイル名は、入力装置２２を介して入力されても構わない。
【００３１】
そして、データベース生成装置１０は、入力装置２２を介して実行ボタンが押されると、処理を実行し、次の入力を受け付ける状態となる。また、データベース生成装置１０は、入力装置２２を介して終了ボタンが押されると、処理を終了する。なお、フォーマットＩＤを入力する際に、試験記録データシートフォーマット３０２の画像データのサムネイルを一覧で表示して、選択させるようにしても良い。
【００３２】
ステップＳ１０５の処理結果として、図９には、データベース用データ（ＣＳＶ形式）の一例を示している。図９に示すデータベース用データには、１行目に項目名が格納され、２行目以降に、測定データが格納される。
【００３３】
次に、データベース生成装置１０の構成例について、図２を用いて説明する。
データベース生成装置１０は、図示しないＣＰＵ（Central Processing Unit）およびメインメモリによって構成される処理部１１と、アプリケーションプログラム等を記憶する記憶部１２と、周辺Ｉ／Ｆ（インタフェース）１３と、通信Ｉ／Ｆ１４とを備えている。
【００３４】
処理部１１は、記憶部１２に記憶されているアプリケーションプログラムをメインメモリに展開して、画像取得部１１１、入力属性ファイル作成部１１２、入出力変換ファイル作成部１１３、出力属性ファイル作成部１１４、およびデータベース用データ作成部１１５を具現化する。
【００３５】
画像取得部１１１は、ステップＳ１０１で説明したように、読取装置２１を介して取り込んだデータ未記入試験記録データシート３０１ａのフォーマットの画像データを取得し、その画像データ（試験記録データシートフォーマット３０２（図３参照））を表示装置２３に表示するとともに、その画像データにフォーマットＩＤを関連付けて、記憶部１２のフォーマットＩＤ情報１２１に記憶する。
【００３６】
入力属性ファイル作成部１１２は、ステップＳ１０２で説明したように、表示装置２３に表示した符号４１０の表上の、入力装置２２によって指定されたセルの表示エリア（図４参照）を取得し、その表示エリアのセルの属性情報を入力装置２２から受け付けて、入力属性情報１２２を作成する。また、入力属性ファイル作成部１１２は、入力属性情報１２２とフォーマットＩＤとを関連付けて記憶部１２に記憶する。
【００３７】
入出力変換ファイル作成部１１３は、ステップＳ１０３で説明したように、試験記録データシートフォーマット３０２（符号４１０で表される試験記録データシートフォーマット）のセルとデータベース用データの並びとの対応関係を入力装置２２から取得するとともに、入力属性情報１２２に格納されているセルに関する属性情報を関連付けて、入出力変換情報１２３（図５参照）を作成する。また、入出力変換ファイル作成部１１３は、入出力変換情報１２３とフォーマットＩＤとを関連付けて記憶部１２に記憶する。
【００３８】
出力属性ファイル作成部１１４は、ステップＳ１０４で説明したように、入力装置２２からの入力に基づいて、データベース用データ個々の属性情報（データベース用データの属性情報６１２）を作成するとともに、試験記録データシート８１０（図８参照）から試験記録データを読み出すためのセル位置（変換対象データの格納位置情報６１１）を設定し、出力属性情報１２４（図６参照）として記憶部１２に記憶する。なお、また、出力属性ファイル作成部１１４は、出力属性情報１２４とフォーマットＩＤとを関連付けて記憶部１２に記憶する。
【００３９】
データベース用データ作成部１１５は、ステップＳ１０５で説明したように、入力装置２２からフォーマットＩＤを受け付けて、そのフォーマットＩＤに関連付けられた入出力変換情報１２３と出力属性情報１２４とを記憶部１２から読み出す。そして、データベース用データ作成部１１５は、入出力変換情報１２３に格納されている対応関係に基づいて読取装置２１から読み取った試験記録データシート８１０（図８参照）の試験記録データを所定の並びを有するデータベース用データ（例えば、ＣＳＶ形式であれば図９参照）に変換し、データベース用データを生成する。
【００４０】
記憶部１２は、フォーマットＩＤ情報１２１、入力属性情報１２２、入出力変換情報１２３、および出力属性情報１２４を格納している。
フォーマットＩＤ情報１２１は、画像取得部１１１によって取り込まれた画像データ（つまり、試験記録データシートフォーマット３０２）をフォーマットＩＤと関連付けて記憶している。
入力属性情報１２２は、入力属性ファイル作成部１１２によって作成された、データ未記入試験記録データシート３０１ａのセルの属性情報をフォーマットＩＤと関連付けて記憶している。
【００４１】
入出力変換情報１２３は、入出力変換ファイル作成部１１３によって作成された、データ未記入試験記録データシート３０１ａのセルとデータベース用データの並びとの対応関係に関する情報と、セルの属性情報と、フォーマットＩＤと関連付けて記憶している。
出力属性情報１２４は、出力属性ファイル作成部１１４によって作成された、図６に示す変換対象データの格納位置情報６１１およびデータベース用データの属性情報６１２とフォーマットＩＤとを関連付けて記憶している。
【００４２】
周辺Ｉ／Ｆ１３は、データベース生成装置１０と、読取装置２１、入力装置２２、および表示装置２３とを接続するためのインタフェースである。
通信Ｉ／Ｆ１４は、データベース生成装置１０をネットワーク３０に接続するためのインタフェースである。
【００４３】
ネットワーク３０には、データベース生成装置１０によって生成されたデータベース用データを蓄積するデータベースサーバ４０が接続されている。そして、データベースサーバ４０には、ユーザが操作するＰＣ（Personal Computer）等の端末５０がネットワークを介して接続されている。端末５０は、データベースサーバ４０に格納されているデータベースを参照して、データマイニング技術を適用して、生産設備の傾向管理を実施することができる。
【００４４】
以上、本実施形態におけるデータベース生成装置１０は、データ未記入試験記録データシート３０１ａのフォーマットを画像データとして取得し、その画像データにフォーマットＩＤを関連付けて記憶する。そして、データベース生成装置１０は、取得した試験記録データシートフォーマット３０２のセルの属性情報を入力属性情報１２２として作成する。次に、データベース生成装置１０は、データ未記入試験記録データシート３０１ａのセルとデータベース用データの並びとの対応関係を生成するとともに、入力属性情報１２２に格納されているセルの属性情報を関連付けて、入出力変換情報１２３を作成する。また、データベース生成装置１０は、データベース用データ個々の属性情報を出力属性情報１２４として作成する。そして、データベース生成装置１０は、複数のフォーマットＩＤに対して、そのフォーマットＩＤに関連付けられた入出力変換情報１２３と出力属性情報１２４とを記憶部１２から読み出して、前記対応関係に基づいて読取装置２１から読み取った試験記録データシート８１０の試験記録データを所定の並びを有するデータベース用データに変換する。したがって、データベース生成装置１０は、データの並びや属性の異なるデータシートのデータを簡易にデータベース化することができる。
【００４５】
また、試験記録データシート３０１のフォーマットについて、一度、入出力変換情報１２３および出力属性情報１２４を作成してしまえば、フォーマットＩＤを入力するだけで、簡易にデータベース用データに変換することができる。
【符号の説明】
【００４６】
１０    データベース生成装置
１１    処理部
１２    記憶部
２１    読取装置
２２    入力装置
２３    表示装置
３０    ネットワーク
４０    データベースサーバ
５０    端末
１１１  画像取得部
１１２  入力属性ファイル作成部
１１３  入出力変換ファイル作成部
１１４  出力属性ファイル作成部
１１５  データベ−ス用データ作成部
１２１  フォーマットＩＤ情報
１２２  入力属性情報
１２３  入出力変換情報
１２４  出力属性情報
３０１  試験記録データシート（データシート）
３０２  試験記録データシートフォーマット
８１０  試験記録データシート
【図１】
0005503496.tif 000002
【図２】
0005503496.tif 000003
【図３】
0005503496.tif 000004
【図４】
0005503496.tif 000005
【図５】
0005503496.tif 000006
【図６】
0005503496.tif 000007
【図７】
0005503496.tif 000008
【図８】
0005503496.tif 000009
【図９】
0005503496.tif 000010